(57)【要約】【課題】一定の迷光を除去することを可能にした光電式煙感知器を提供する。【解決手段】発光素子としてのＬＥＤ６０を収納する発光素子収納部４５と、発光素子収納部４５の前方に設けられたアパーチャとが暗箱４に形成された光電式煙感知器において、アパーチャは、ＬＥＤ６０からの距離が異なる複数のアパーチャ６１、６２から構成され、複数のアパーチャの幅方向の開口径は、ＬＥＤ６０からの距離に比例して大きくなるように形成される。【選択図】図６
2009237720.tif 000002
【特許請求の範囲】
【請求項１】
発光素子としての発光ダイオードを収納する発光素子収納部と、
該発光素子収納部の前方に設けられたアパーチャと
が暗箱に形成された光電式煙感知器において、
前記アパーチャは、前記発光ダイオードからの距離が異なる複数のアパーチャから構成され、
該複数のアパーチャの幅方向の開口径は、前記発光ダイオードからの距離に比例して大きくなるように形成されることを特徴とする光電式煙感知器。
【請求項２】
前記複数のアパーチャは、前記暗箱を構成する光学台側に形成され、下部側を開口するものと上部側を開口するものとが互い違いに形成されていることを特徴とする請求項１記載の光電式煙感知器。
【発明の詳細な説明】
【技術分野】
【０００１】
本発明は、光電式煙感知器に関し、特に、発光素子の前方に設けられたアパーチャの構造に関する。
【背景技術】
【０００２】
光電式煙感知器において、暗箱内には発光素子としての発光ダイオード（以下、ＬＥＤともいう）を収納する発光素子収納部が設けられ、その前方には、ＬＥＤから発せられる光の進行方向を制限するためのアパーチャが設けられている（例えば特許文献１参照）。
【特許文献１】特開２００３−１４１６５３号公報
【発明の開示】
【発明が解決しようとする課題】
【０００３】
従来の光電式煙感知器は、アパーチャが１個しか設けられていないため、一定の迷光を除去することはできないという問題点があった。
【０００４】
本発明は、このような問題点を解決するためになされたものであり、一定の迷光を除去することを可能にした光電式煙感知器を提供することを目的とする。
【課題を解決するための手段】
【０００５】
本発明に係る光電式煙感知器は、発光素子としての発光ダイオードを収納する発光素子収納部と、該発光素子収納部の前方に設けられたアパーチャとが暗箱に形成された光電式煙感知器において、前記アパーチャは、前記発光ダイオードからの距離が異なる複数のアパーチャから構成され、該複数のアパーチャの幅方向の開口径は、前記発光ダイオードからの距離に比例して大きくなるように形成される。
本発明に係る光電式煙感知器において、前記複数のアパーチャは、前記暗箱を構成する光学台側に形成され、下部側を開口するものと上部側を開口するものとが互い違いに形成されている。
【発明の効果】
【０００６】
本発明によれば、アパーチャは、発光ダイオードからの距離が異なる複数のアパーチャから構成され、該複数のアパーチャの幅方向の開口径は、発光ダイオードからの距離に比例して大きくなるように形成されるので、発光ダイオードから光は複数のアパーチャにより絞られて進むとともに、一定の迷光が除去される。
また、本発明によれば、複数のアパーチャは、暗箱を構成する光学台側に形成され、下部側を開口するものと上部側を開口するものとが互い違いに形成されているので、樹脂成型時の金型構造を利用することができ、コストを上げることなく、複数のアパーチャを形成することができ、アパーチャの効果をあげることができる。
【発明を実施するための最良の形態】
【０００７】
図１（ａ）（ｂ）は本発明の一実施形態に係る光電式煙感知器の外観図及びそのｂ−ｂ断面図である。図２及び図３は図１の光電式煙感知器の分解斜視図であり、図２は上方から見たときの斜視図、図３は下方から見たときの斜視図である。なお、図１（ｂ）においては内部部品の一部は省略されて図示されている。
【０００８】
この光電式煙感知器は、警報スピーカー、火災等を駆動するための電子部品（詳細は図示せず）が搭載されている本体１、本体１を覆うカバー（保護カバー）２、及び本体１の背面に係止され、天井面等への取付用ねじ穴等を有する取付板３を備えており、本体１とカバー２との間には煙検出部として機能する部品（詳細は後述する）が搭載された暗箱４が収納されている。カバー２は、その上部に検出対象となる煙が出入りするための複数の煙流入窓２１、及び押しボタン２２の一部を突出させるため開口部２３を備えている。押しボタン２２はカバー２の内壁に一端が回動自在に支持され、他端が係止されており、開口部２３から突出した部位が押圧されることにより、後述のタクトスイッチ４２をオン動作させる。また、このカバー２の内壁には警報スピーカー２４（図３参照）が取り付けられている。
【０００９】
暗箱４は、その下部にプリント基板４１が取り付けられており、そのプリント基板４１にはタクトスイッチ４２が取り付けられている。このタクトスイッチ４２は、上記の押しボタン２２の操作によりスイッチオンする。なお、この押しボタン２２は、煙が検出されて警報スピーカー２４が鳴動しそれを解除する際や点検の際に操作される。この暗箱４の詳細を図４に基づいて更に詳細に説明する。
【００１０】
図４は、暗箱４の分解斜視図である。
暗箱４は、光学台４３と、この光学台４３を覆う光学台カバー４４とから構成されている。光学台４３には、発光素子収納部４５、受光素子収納部４６及び複数のラビンス部材４７が設けられている。受光素子収納部４６は、発光素子収納部４５からの発光が直接入射しないような発光素子収納部４５との角度で配設されている。発光素子収納部４５には、発光素子、例えば砲弾型のＬＥＤ６０が取り付けられる。また、受光素子収納部４６には、シールドケース４８に収納されたＰＤ４９が取り付けられる。光学台カバー４４には、複数の煙出入口４４ａが形成されており、そして、煙出入口４４ａには防虫網４４ｂが設けられており、暗箱４内に虫などの異物が侵入するのを防止する。
【００１１】
図５は、光学台４３の詳細を示した図であり、（ａ）は正面図、（ｂ）は平面図、（ｃ）は（ｂ）のｃ−ｃ断面図、（ｄ）は（ａ）のｄ−ｄ断面図、（ｅ）は側面図、（ｆ）は底面図である。
図６は、ＬＥＤ６０の前方に形成されたアパーチャの詳細を示した斜視図であり、図７は、図５（ｃ）の断面図のうち、ＬＥＤ６０の周辺部分を抽出した断面図である。
発光素子収納部４５にはＬＥＤ６０が取り付けられるが、その前方には、第１のアパーチャ６１及び第２のアパーチャ６２が光学台４３にそれぞれ形成されている。第１のアパーチャ６１は、円形とその円形部分の下方部分が開口された形状とを組み合わせた形状になっている。また、第２のアパーチャ６２は、円形とその円形部分の上方が開口された形状とを組み合わせた形状となっている。図６には第２のアパーチャ６２の形状が明確に図示されているが、第１のアパーチャ６１は、図６の第２のアパーチャ６２の形状を上下方向に反転させたような形状になっている。また、第１のアパーチャ６１及び第２のアパーチャ６２は、その開口径（幅方向）が、ＬＥＤ６０からの距離に比例して大きくなるように形成されている。
【００１２】
図８は、アパーチャの動作説明図である。
ＬＥＤ６０の前方に形成されたアパーチャは、ＬＥＤ６０から発せられた光を絞る作用をするが、アパーチャに当たった光は散乱して想定外の方向に光が進んでしまうおそれがある。しかし、本実施形態のアパーチャ６１、６２は、２重に構成されており、ＬＥＤ６０から見て手前側に位置する第１のアパーチャ６１の周辺部材６１ａに当たって反射した光は、第１のアパーチャ６１よりもＬＥＤ６０から見て離れた位置にある第２のアパーチャ６２の周辺部材６２ａに当たって反射することになり、第１のアパーチャ６１で反射した光を絞ることができる。
なお、第１のアパーチャ６１及び第２のアパーチャ６２の開口径（幅方向）が、ＬＥＤ６０からの距離に比例して大きくなるように形成されているので、ＬＥＤ６０から発せられた光は、図７に示されるように、適切に絞られて想定された方向に進んで、暗箱４内を照射する。
また、第１のアパーチャ６１は、円形とその円形部分の下方部分が開口された形状との組み合わせた形状になっており、第２のアパーチャ６２は、円形とその円形部分の上方が開口された形状とを組み合わせた形状となっており、下方又は上方が開放された形状になっているが、ＬＥＤ６０とＰＤ４９とは、水平方向に対応した位置関係にあり、上下方向の散乱光が発生したとしてもそれは無視でき、左右方向（水平方向）の散乱光を規制すれば足りるので、下方又は上方が開放された形状になっていることによる弊害はない。
【００１３】
本実施形態に係る光電式煙感知器は、以上のように構成されており、ＬＥＤ６０を発光させて火災監視しているが、通常時には、ＬＥＤ６０の光は、ＰＤ４９に入らない。異常時、即ち、火災発生時には、煙が煙流入窓２１を介して煙出入口４４ａから暗箱４内に流入し、ＬＥＤ６０からの光と衝突して散乱させるのでその光の進路が変更し、その散乱光の一部はＰＤ４９に入る。ＰＤ４９に入った散乱光が、所定量を超えると、図示しない制御により警報スピーカー２４が鳴動する。
【００１４】
そして、本実施形態においては、アパーチャ６１、６２は、ＬＥＤ６０からの距離が異なる複数のアパーチャから構成され、複数のアパーチャの開口径（幅方向）は、ＬＥＤ６０からの距離に比例して大きくなるように形成されているので、ＬＥＤ６０からの光は複数のアパーチャ６１、６２により絞られて進むとともに一定の迷光が除去される。また、第１及び第２のアパーチャ６１、６２は、暗箱４を構成する光学台４３側に形成されており、更に、下部側を開口する第１のアパーチャ６１と上部側を開口するアパーチャ６２とが互い違いに形成されているので、例えば樹脂成型時の金型構造を利用することができ、２つの金型でサンドイッチして複数のアパーチャを形成することができるで、製造しやすく、コストを上げることなく、複数のアパーチャ６１、６２を形成することができる。また、ＬＥＤ６０から発せられた光の上下方向を絞る作用をすることもできる。
【００１５】
なお、上記の説明においては、第１のアパーチャ６１が下部側を開口し、第２のアパーチャ６２が上部側を開口する例について説明したが、その逆であってもよい。即ち、第１のアパーチャ６１が上部側を開口し、第２のアパーチャ６２が下部側を開口するようにしてもよい。また、本発明のアパーチャは、左右方向（水平方向）の迷光を規制することができれば良いので、アパーチャ６１、６２の形態はその目的に合わせて適宜し得るものであり、例えば３重構造にするようにしてもよい。
また、前記実施形態において、光電式煙感知器として、住宅用の火災警報器をを用いて説明したが、本発明はそれに限定されるものではなく、火災受信機と信号線等を介して接続される火災感知器であっても本発明を適用できる。
【図面の簡単な説明】
【００１６】
【図１】本発明の一実施形態に係る光電式煙感知器の外観図及びそのｂ−ｂ断面図である。
【図２】図１の光電式煙感知器の分解斜視図である。
【図３】図１の光電式煙感知器の分解斜視図である。
【図４】暗箱の分解斜視図である。
【図５】光学台の詳細を示した図である。
【図６】ＬＥＤの前方に形成されたアパーチャの詳細を示した斜視図である。
【図７】図５（ｃ）のＬＥＤの周辺部分を抽出した断面図である。
【図８】アパーチャの動作説明図である。
【符号の説明】
【００１７】
１ 本体、 ２ カバー、 ３ 取付板、 ４ 暗箱、２１ 煙流入窓、２２ 押しボタン、２３ 開口部、 ２４ 警報スピーカー、４１ プリント基板、４２ タクトスイッチ、４３ 光学台、４４ 光学台カバー、４４ａ 煙出入口、４４ｂ 防虫網、４５ 発光素子収納部、４６ 受光素子収納部、４７ ラビンス部材、４８ シールドケース、４９  ＰＤ 、６０  ＬＥＤ、６１  第１のアパーチャ、 ６２ 第２のアパーチャ。
【図１】
2009237720.tif 000003
【図２】
2009237720.tif 000004
【図３】
2009237720.tif 000005
【図４】
2009237720.tif 000006
【図５】
2009237720.tif 000007
【図６】
2009237720.tif 000008
【図７】
2009237720.tif 000009
【図８】
2009237720.tif 000010